(57)【要約】 【課題】  開口部を手指で触れなくても使用しうる飲料抽出バッグを製造しうる飲料抽出バッグ製造用シートを提供する。【解決手段】  このシートは、長手方向に沿って易開裂線１が設けられた長尺状の通水濾過性不織布２と、通水濾過性不織布２表面であって易開裂線１の両側に貼着された一対のカップ係止片３Ａ及び３Ｂとからなる。不織布２は熱可塑性繊維を含み、溶着シール可能なものである。カップ係止片３Ａ及び３Ｂは易開裂線１を対称軸として線対称である。カップ係止片３Ａ及び３Ｂは、不織布２に貼着されておらずカップに係止しうる引き起こし部位６Ａ及び６Ｂと、不織布２に貼着されている貼着部位７Ａ及び７Ｂとを有している。易開裂線１に近接するカップ係止片３Ａ及び３Ｂの上縁８Ａ及び８Ｂは易開裂線１と平行であり、かつ、上縁８Ａは貼着部位７Ａの一部を構成しており、上縁８Ｂは貼着部位７Ｂの一部を構成している。【選択図】  図３
0003171129.tif 000002
【実用新案登録請求の範囲】
【請求項１】
長手方向に沿って易開裂線が設けられた長尺状の通水濾過性不織布と、該通水濾過性不織布表面であって該易開裂線の両側に貼着された一対のカップ係止片とからなる飲料抽出バッグ製造用シートであって、
前記通水濾過性不織布は熱可塑性繊維を含み、溶着シール可能なものであり、
前記一対のカップ係止片は前記易開裂線を対称軸として線対称であって、前記通水濾過性不織布に貼着されておらずカップに係止しうる引き起こし部位と、前記通水濾過性不織布に貼着されている貼着部位とを有しており、
前記易開裂線に近接する前記一対のカップ係止片の上縁は前記易開裂線と平行であり、かつ、該上縁は前記貼着部位の一部を構成していることを特徴とする飲料抽出バッグ製造用シート。
【請求項２】
請求項１記載の飲料抽出バッグ製造用シートを用いて得られた被抽出物が収納されている略四辺形の飲料抽出バッグであって、易開裂線がバッグの開口辺となり、該開口辺以外の辺は溶着シールされており、バッグの表裏面に貼着された一対のカップ係止片を設けられている飲料抽出バッグ。
【考案の詳細な説明】
【技術分野】
【０００１】
本考案は、コーヒー、紅茶、煎茶、ウーロン茶又はその他の嗜好性飲料を抽出する飲料抽出バッグを製造するためのシートに関するものである。
【背景技術】
【０００２】
近年、コーヒー等の嗜好性飲料を、飲料抽出バッグを用いドリップ方式で入れて飲むことが多くなっている。飲料抽出バッグは、飲料を抽出するためにフィルターとして機能するバッグ本体と、抽出時にバッグ本体をカップ上に安定した状態に保持するカップ係止片よりなるものが用いられてきている。かかる飲料抽出バッグは、上端に開口部を有する略四辺形の濾過性バッグ本体と、バッグ本体の上側表裏面に貼着された一対のカップ係止片とよりなるものが普及している。
【０００３】
ところで、かかる飲料抽出バッグを製造するためのシートとして、図１に示したものが知られている（特許文献１）。すなわち、長手方向に沿って易開裂線１１が設けられた長尺状の通水濾過性シート１２と、通水濾過性シート１２表面であって易開裂線１１を挟んで貼着された一対のカップ係止片１３Ａ及び１３Ｂとからなるものである。そして、カップ係止片１３Ａは易開裂線１１を跨いでカップ係止片１３Ｂ側に突出している突出部１４Ａを持ち、カップ係止片１３Ｂは易開裂線１１を跨いでカップ係止片１３Ａ側に突出している突出部１４Ｂを持っている。このシートを用いて得られた飲料抽出バッグは、図２に示したような形態となり、突出部１４Ａ及び１４Ｂを手指で持って外方へ引っ張って、易開裂線１１を開裂させて開口部を設け、この開口部に湯を注いでコーヒー等を抽出することになる。
【０００４】
【特許文献１】特開２０１１−７８７４８号公報（特に図１及び図４Ｂ）
【考案の開示】
【考案が解決しようとする課題】
【０００５】
しかしながら、特許文献１に記載された飲料抽出バッグは、突出部１４Ａ及び１４Ｂを手指で持って開口するため、開口部が手指に触れ、衛生上好ましくない。また、突出部１４Ａ及び１４Ｂを持って開口させた後、カップ係止片１３Ａ及び１３Ｂの一部を構成している引き起こし部位を手指で引き起こして、カップに係止しなければならず、手指を突出部１４Ａ及び１４Ｂから引き起こし部位に持ち替えなければならず、使用するのに煩雑である。
【０００６】
本考案は、開口部を手指で触れることなく開口させると同時にカップに係止して、湯を注ぐことのできる飲料抽出バッグを製造しうる飲料抽出バッグ製造用シートを提供するものである。
【課題を解決するための手段】
【０００７】
すなわち、本考案は、長手方向に沿って易開裂線１が設けられた長尺状の通水濾過性不織布２と、通水濾過性不織布２表面であって易開裂線１の両側に貼着された一対のカップ係止片３Ａ及び３Ｂとからなる飲料抽出バッグ製造用シートであって、通水濾過性不織布２は熱可塑性繊維を含み、溶着シール可能なものであり、一対のカップ係止片３Ａ及び３Ｂは易開裂線１を対称軸として線対称であって、通水濾過性不織布２に貼着されておらずカップに係止しうる引き起こし部位６Ａ及び６Ｂと、通水濾過性不織布２に貼着されている貼着部位７Ａ及び７Ｂとを有しており、易開裂線１に近接する一対のカップ係止片３Ａ及び３Ｂの上縁８Ａ及び８Ｂは易開裂線１と平行であり、かつ、上縁８Ａは貼着部位７Ａの一部を構成しており、上縁８Ｂは貼着部位７Ｂの一部を構成していることを特徴とする飲料抽出バッグ製造用シートに関するものである。また、この飲料抽出バッグ製造用シートを用いて得られた飲料抽出バッグに関するものである。
【０００８】
本考案は、長尺状の通水濾過性不織布２と、この通水濾過性不織布２の表面に貼着された一対のカップ係止片３Ａ及び３Ｂとからなる。長尺状の通水濾過性不織布２には、長手方向に沿って、易開裂線１がその中央付近に設けられている。易開裂線１としては、ミシン目等の従来公知の弱め線が用いられる。通水濾過性不織布２は、熱可塑性繊維を含んでいる。これは、加熱又は超音波等によって溶着でき溶着シールを可能とし、袋体を溶着シールによって作成しうるからである。具体的には、ポリエステル繊維やポリプロピレン繊維等が用いられる。特に、加熱によって溶着シールを形成する場合は、芯成分が高融点成分であり、鞘成分が低融点成分よりなる複合型繊維を用いるのが好ましい。複合型繊維の場合は、低融点成分が軟化又は溶融して溶着シール可能となる。また、超音波によって溶着シールを形成する場合は、複合型繊維だけでなく、単相型の熱可塑性繊維であっても、その表面が摩擦熱で軟化又は溶融し溶着シール可能となるので、好ましく用いられる。
【０００９】
易開裂線１の両側には一対のカップ係止片３Ａ及び３Ｂが貼着されている。カップ係止片３Ａ及び３Ｂは、易開裂線１を対称軸として線対称に貼着されている。カップ係止片３Ａ及び３Ｂは、コーヒーカップ等のカップに係止しうる引き起こし部位６Ａ及び６Ｂを持っている。引き起こし部位６Ａ及び６Ｂは、通水濾過性不織布２の表面から分離され引き起こされるため、通水濾過性不織布２に貼着されていない。カップ係止片３Ａ及び３Ｂの引き起こし部位６Ａ及び６Ｂ以外の部位は、通水濾過性不織布２と貼着された貼着部位７Ａ及び７Ｂ（図３、図４及び図５中のハッチング部位）となっている。
【００１０】
一対のカップ係止片３Ａ及び３Ｂの上縁８Ａ及び８Ｂは、易開裂線１と平行になっている。上縁８Ａ及び８Ｂは、易開裂線１と接触する程度に近接していてもよいし、若干離れた状態で近接していてもよい。いずれにしても、上縁８Ａ及び８Ｂと易開裂線１の間の距離は、飲料抽出バッグの高さの１／３以下程度に配置するが、易開裂線１の開口のし易さを考慮すると、その距離はゼロに近いことが好ましい。そして、上縁８Ａ及び８Ｂは、通水濾過性不織布２と貼着されており、貼着部位７Ａ及び７Ｂの一部を構成している。
【００１１】
この飲料抽出バッグ製造用シートを用いて飲料抽出バッグを得る方法は、以下のとおりである。まず、易開裂線１を軸として通水濾過性不織布２を二つ折りにする（図４）。そして、易開裂線１と垂直の方向に横溶着シール９を施して、二つ折りされた通水濾過性不織布２を接合する。また、易開裂線１の反対側の端辺近傍で易開裂線１と平行に縦溶着シール１０を施して、二つ折りされた通水濾過性不織布２を接合する。横溶着シール９と縦溶着シール１０とで袋が形成され、その袋の中にコーヒー粉等の被抽出物を収納する。縦溶着シール１０を施すと、縦溶着シール１０から外方（易開裂線１側の反対側）に耳部が生じるが、この耳部は縦溶着シール１０を施した際に取り除く。また、横溶着シール９を施した際も、横溶着シール９の箇所で溶断される。
【００１２】
以上のようにして得られた飲料抽出バッグは、図５に示したような形態となっている。この飲料抽出バッグは、引き起こし部位６Ａ及び６Ｂを、通水濾過性不織布２より分離し引き起こし、６Ａ及び６Ｂを持って外方に引っ張る。そうすると、上縁８Ａ及び８Ｂは通水濾過性不織布２に貼着されているので、易開裂線１も外方に引っ張られ、最終的に開裂して開口する。そして、引き起こし部位６Ａ及び６Ｂをカップの縁に係止した後、この開口に湯を注ぐことになり、収納されている被抽出物からコーヒー等を抽出するのである。
【考案の効果】
【００１３】
本考案に係る飲料抽出バッグ製造用シートを用いて得られた飲料抽出バッグは、一対のカップ係止片の上縁が、易開裂線に近接しかつ易開裂線と平行な状態で、通水濾過性不織布に貼着している。したがって、一対のカップ係止片の各引き起こし片を持って、各々外方へ引っ張ることにより、易開裂線が開裂して、湯を注ぐための開口部が形成される。また、各引き起こし片を持って開口部を形成すると共に、この引き起こし片をカップに係止することができる。したがって、易開裂線に手指が触れることなく開口部を形成でき、開口部が衛生的であるという効果を奏する。さらに、各引き起こし片を持ってカップに係止するので、手指を持ち替えずに使用でき、合理的である。
【図面の簡単な説明】
【００１４】
【図１】従来の飲料抽出バッグ製造用シートを示した平面図である。
【図２】図１の飲料抽出バッグ製造用シートを用いて得られた飲料抽出バッグの平面図である。
【図３】本考案の一例に係る飲料抽出バッグ製造用シートを示した平面図である。
【図４】図３の飲料抽出バッグ製造用シートを用いて飲料抽出バッグを製造する際の模式的平面図である。
【図５】図３の飲料抽出バッグ製造用シートを用いて得られた飲料抽出バッグの平面図である。
【符号の説明】
【００１５】
１    易開裂線
２    通水濾過性不織布
３ａ，３ｂ    カップ係止片
６ａ，６ｂ    引き起こし片
７ａ，７ｂ    貼着部位
８ａ，８ｂ    カップ係止片の上縁
９    横溶着シール
１０  縦溶着シール
【図１】
0003171129.tif 000003
【図２】
0003171129.tif 000004
【図３】
0003171129.tif 000005
【図４】
0003171129.tif 000006
【図５】
0003171129.tif 000007